(57)【要約】【課題】格納領域を診療前の予約情報を格納する格納領域と診療後の予約情報を格納する格納領域とに分割して管理することにより予約情報に関連する医療画像を高速に検索可能とする予約情報管理システム及び方法を提供する。【解決手段】予約情報管理システム１は、予約情報領域２と、実施情報領域３と、オーダ情報書込み部４と、当日検査予約一覧５と、検査オーダの参照部６と、実施結果登録部７と、会計情報送信部８と、払出参照／登録部９と、検査履歴の参照部１０とから構成され、検査前の患者に関する医療情報などを記憶するために確保された予約情報領域２にオーダ情報書き込み部４から検査予約に関する情報が読み込まれる。そして、実施結果登録部７により、予約情報領域２に格納されている検査前の情報を検査が実施されるのに合わせて検査後の情報として実施情報領域３に登録し、検査前の情報を予約情報領域２から削除する。【選択図】          図１
2004355096.tif 000002
【特許請求の範囲】
【請求項１】
患者の診療予約に関する予約情報を格納する格納領域を備える予約情報管理システムにおいて、前記格納領域を分割し、その分割された格納領域の少なくとも一つに診療前の予約情報を格納する予約情報格納手段と、予め設定された期間毎に前記予約情報格納手段に格納された診療前の予約情報の中から診療後の予約情報を検索する検索手段と、前記検索手段により検索された診療後の予約情報を実施情報として前記診療前の予約情報が格納されている格納領域以外の格納領域に移行させる実施情報移行手段と、前記実施情報移行手段により移行される診療後の予約情報を前記診療前の予約情報の中から削除する予約情報削除手段とを備えることを特徴とする予約情報管理システム。
【請求項２】
患者の診療予約に関する予約情報を格納する格納領域を備える予約情報管理システムにおいて、前記格納領域を複数に分割し、その分割された格納領域の少なくとも一つに診療前の予約情報を格納する予約情報格納手段と、前記予約情報格納手段により診療前の予約情報が格納された格納領域を除いた格納領域の少なくとも一つに診療後の予約情報を実施情報として格納する実施情報格納手段と、前記予約情報格納手段と、前記実施情報格納手段とに使用されている格納領域を除いた格納領域に予め設定された期間毎に診療予約日前後の予約情報及び実施情報をアクティブ情報として格納するアクティブ情報格納手段と、所定の期間の経過に伴い、前記予約情報格納手段に格納されている予約情報の中から予め設定された診療予約日前後の条件に該当する予約情報を選択して前記アクティブ情報格納手段に移行する予約情報移行手段と、所定の期間の経過に伴い、前記アクティブ情報格納手段に格納されているアクティブ情報の中から予め設定された診療予約日前後の条件に該当しないアクティブ情報を実施情報として前記実施情報格納手段に移行する実施情報移行手段と、前記実施情報移行手段により移行された実施情報をアクティブ情報格納手段から削除するアクティブ情報削除手段とを備えることを特徴とする予約情報管理システム。
【発明の詳細な説明】
【０００１】
【発明の属する技術分野】
本発明は、患者の診療予約による予約情報が格納された格納領域を分割して管理する予約情報管理システムに関するものである。
【０００２】
【従来の技術】
従来から病院などの医療機関においては、ＣＴ、ＭＲＩ、ＣＲなどの各種画像収録モダリティにより収録された画像を、その検索用の付帯情報とともに大容量の光ディスクなどの記憶媒体に蓄積している。なおこの種の画像を蓄積記憶する装置を、本明細書では「画像蓄積記憶装置」と称する。
これらの医療画像は各画像収録モダリティと称され、例えばネットワークを介して接続された画像サーバ装置を介して、あるいは直接的に画像蓄積記憶装置に入力、記憶され、画像サーバ装置が他の端末から出力要求を受けた際に、画像蓄積記憶装置から取り込んで端末に出力するようになっている。
ところで上述の画像蓄積記憶装置は、医療画像の保存に関する法規に従って、比較的長期間（数年あるいはそれ以上）取得された医療画像を蓄積記憶するのに利用される。
一方、医療画像サーバ装置自身も多くの場合は、検索結果や画像の出力を高速化するために、医療画像をその付帯情報とともに記憶手段に蓄積記憶しておくように構成される。しかしそれらの画像は、勿論、画像蓄積記憶装置に蓄積記憶される画像全てではなく、過去１週間とかあるいは１月とか、比較的短時間によって取得された画像のみである（例えば、特許文献１参照）。
【０００３】
上述のように構成された医療画像サーバ装置においては、端末から検索要求を受けたとき、放射線科情報管理システム（ＲＩＳ）に記憶されている患者の診療予約に対応する画像情報等を検索することにより、比較的最近に取得された医療画像ならば、各画像蓄積記憶装置まで検索することなく、画像情報などを検索することができる。
なお、検索条件と一致する医療画像が医療画像サーバ装置自身に蓄積記憶されていない場合、この医療画像サーバ装置は各画像蓄積記憶装置を検索し、それらの各データベースを検索して、検索結果や画像を出力することになる。
【０００４】
【特許文献１】
特開２００１−５８２５号公報（第３−４頁、第２図）
【発明が解決しようとする課題】
しかしながら、従来の技術においては以下のような解決すべき課題が存在している。
患者の診療予約に関する予約情報に対応する画像情報を外部の画像蓄積記憶装置まで検索対象としているため、画像蓄積記憶装置が多数に及ぶ場合には、検索時間がかかるためにトラフィックの増大による検索の遅延が生じていた。
また、同一の記憶領域内で検索を行うために検索対象でない情報をも対象として検索が行われるためデッドロックによる障害や検索時間の遅延などの問題が生じていた。
そこで本発明は、上述の課題に鑑みてなされたものであり、格納領域を診療前の予約情報を格納する格納領域と診療後の予約情報を格納する格納領域とに分割して管理することにより予約情報に関連する医療画像を高速に検索可能とする予約情報管理システム及び方法を提供することを目的とする。
【０００５】
【課題を解決するための手段】
上記課題を解決するために請求項１記載の本発明によれば、患者の診療予約に関する予約情報を格納する格納領域を備える予約情報管理システムにおいて、前記格納領域を分割し、その分割された格納領域の少なくとも一つに診療前の予約情報を格納する予約情報格納手段と、予め設定された期間毎に前記予約情報格納手段に格納された診療前の予約情報の中から診療後の予約情報を検索する検索手段と、前記検索手段により検索された診療後の予約情報を実施情報として前記診療前の予約情報が格納されている格納領域以外の格納領域に移行させる実施情報移行手段と、前記実施情報移行手段により移行される診療後の予約情報を前記診療前の予約情報の中から削除する予約情報削除手段とを備えることを特徴とする予約情報管理システムをもって解決手段とする。
また、請求項２に記載の本発明によれば、患者の診療予約に関する予約情報を格納する格納領域を備える予約情報管理システムにおいて、前記格納領域を複数に分割し、その分割された格納領域の少なくとも一つに診療前の予約情報を格納する予約情報格納手段と、前記予約情報格納手段により診療前の予約情報が格納された格納領域を除いた格納領域の少なくとも一つに診療後の予約情報を実施情報として格納する実施情報格納手段と、前記予約情報格納手段と、前記実施情報格納手段とに使用されている格納領域を除いた格納領域に予め設定された期間毎に診療予約日前後の予約情報及び実施情報をアクティブ情報として格納するアクティブ情報格納手段と、所定の期間の経過に伴い、前記予約情報格納手段に格納されている予約情報の中から予め設定された診療予約日前後の条件に該当する予約情報を選択して前記アクティブ情報格納手段に移行する予約情報移行手段と、所定の期間の経過に伴い、前記アクティブ情報格納手段に格納されているアクティブ情報の中から予め設定された診療予約日前後の条件に該当しないアクティブ情報を実施情報として前記実施情報格納手段に移行する実施情報移行手段と、前記実施情報移行手段により移行された実施情報をアクティブ情報格納手段から削除するアクティブ情報削除手段とを備えることを特徴とする予約情報管理システムをもって解決手段とする。
【０００６】
【発明の実施の形態】
図１は、本発明の実施の形態による予約情報管理システムの構成を説明した概略図である。
予約情報管理システム１は、予約情報領域２と、実施情報領域３と、オーダ情報書込み部４と、当日検査予約一覧５と、検査オーダの参照部６と、実施結果登録部７と、会計情報送信部８と、払出参照／登録部９と、検査履歴の参照部１０とから構成される。
予約情報管理システム１とは、患者に関する医療情報を検索する目的で設けられた検索装置のことであり、放射線科情報システム（ＲＩＳ）がこれに相当する。また、予約情報領域２は、検査前の患者に関する医療情報などを記憶するために確保された記憶領域のことであり、実施情報領域３は、検査後の患者に関する医療情報などを記憶するために確保された記憶領域のことである。
オーダ情報書き込み部４は、患者に関する医療情報の中から検査予約に関する情報を検査予約オーダとして予約情報領域２に読み込みを指示し、当日検査予約一覧５は、予約情報領域２から予め登録された当日検査予約の一覧を検索して表示したものである。また、検査オーダの参照部６は、当日検査予約一覧５により検索して表示したものに対応する検査の詳細内容を予約情報領域２から検索する指示命令を送り、実施結果登録部７は、予約情報領域２に格納されている検査前の情報を検査が実施されるのに合わせて検査後の情報として実施情報領域３に登録し、検査前の情報を予約情報領域２から削除する。
【０００７】
会員情報送信部８は、実施情報領域３に格納されている情報の中から会計情報を検索して会計情報として送信し、払出参照／登録部９は実施情報領域３から実施済みの一覧情報を表示して、当該実施済みの一覧情報に対応するオーダを選択してフィルム払出情報として実施情報領域３に格納する。また、検査履歴の参照部１０は、当日の検査の参考とするため、過去の実施履歴を実施情報領域３から取得して表示を行う。
次に、図１に記載の予約情報管理システムの処理手順について説明する。
ステップＳ１では、予約システム（ＨＩＳ）より検索予約に関する医療情報を予約情報領域２に書き込む。なお、処理は定期的なポーリング処理により実行される。次に、ステップＳ２では、予め登録されている当日検査予約の一覧を予約情報領域２から検索して表示する。更には、ステップＳ３では、当日検査予約の一覧から該当検査予約に関する医療情報を選択して検査の詳細内容を予約情報領域２から検索して表示する。
ステップＳ４では、実施結果方法を入力して実施結果を実施情報領域３に格納する。次に、ステップＳ５では、実施情報領域３に格納した実施結果と同じ検査に関する医療情報を予約情報領域２から削除する。
【０００８】
ステップＳ６では、会計システム（ＨＩＳ）に実施情報領域３の中から検索された会計情報を送信する。なお、処理は定期的なポーリング処理により実行される。次に、ステップＳ７では、実施情報領域３から実施済み一覧情報を表示する。
ステップＳ８では、当該オーダを選択してフィルム払出情報を実施情報領域３に格納する。なお、フィルム払出処理とは、撮影後のフィルムを放射線部門から払出したか否かの履歴を記録する処理で、検査後のフィルム所在を明確にすることを目的とする処理のことである。次に、ステップＳ９では、当日検査の参考にするため、過去の実施履歴を実施情報領域３から取得して表示を行う。
なお、ここでは記憶領域を予約情報領域２と実施情報領域３の２つに分割した場合の実施の形態について説明しているが、記憶領域を２以上に分割したものであっても構わない。この場合は、予約情報領域２と実施情報領域３以外の記憶領域をアクティブ領域とし、このアクティブ領域に、予め設定された期間の経過に伴い患者に関する医療情報の入れ替えを行う。具体的には、予め設定された期間を２週間とした場合には、検査実施日の１週間前までの患者に関する医療情報を予約情報領域２からアクティブ領域に格納し、検査実施日の１週間後までの患者に関する医療情報を実施情報領域３からアクティブ領域に格納する。これにより検査に関する医療情報の検索を検査実施日の１週間前後に絞ることが可能であるために、時期的なトラフィックを考慮に入れた記憶領域の分割を実行することができる。このため、患者の診療予約に関連する医療画像を高速に検索可能とする予約情報管理システム及び方法を提供することができる。
【０００９】
図２は、本発明の実施の形態による予約情報管理システムに格納されている医療情報の検索表示構成を説明した構成図である。
オーダ表示画像１１は、図１の予約情報管理システム１の当日検査予約一覧５の処理に対応するもので、検索ボタン表示部１２と、患者情報表示部１３と、コメント表示部１４とから構成される。
検索ボタン表示部１２は、患者の検査情報に関する画像情報を選択するために設けられたボタンであり、患者の検査情報に関する一覧表示が可能なオーダ一覧ボタンと、患者の検査情報に関する撮影済みの画像情報の表示が可能な撮影済みボタンと、患者の検査実施日の３０日前までの検査情報に関する一覧表示が可能なオーダ一覧ボタン（３０日前まで）と、患者の検査実施日から４ヶ月までの検査情報に関する撮影済みの画像情報の表示が可能な撮影済み（４ヶ月）ボタンとを備える。
患者情報表示部１３は、患者ＩＤ、氏名、生年月日、年齢、歩行状態、患者状態、感染症の有無、依頼科、病棟、病室、種別、部位の項目が表示され、それぞれの項目に対応した内容が表示されている。
コメント表示部１４は、依頼科のコメントを表示する依頼科コメント表示欄と、放射線科のコメントを表示する放射線科コメント表示欄とを含んだ構成である。
【００１０】
依頼科コメント表示欄は、患者が診察を依頼した科の医師などにより記載されるコメントの表示欄のことであり、具体的には、診察を依頼した科が内科であって腹部のレントゲン撮影を行う場合に、『肝臓の裏側に診断部位が存在するから注意が必要』などのコメントがこれに該当する。
放射線科コメント表示欄は、患者の放射線診断を行った際に気づいたことなどを放射線診断を行った医師などがコメントとして記載する表示欄のことである。
図３は、本発明の実施の形態による予約情報管理システムに格納されている医療情報の詳細な検索表示構成を説明した構成図である。
オーダ表示画像１５は、図１の予約情報管理システム１の検査オーダ参照部６の処理に対応するもので、患者の状態情報表示部１６と、患者の詳細情報表示部１７と、患者測定器具１８とから構成される。
患者の状態情報表示部１６は、患者ＩＤ、氏名、生年月日、年齢、病棟などの患者個人に関係する情報を表示するものと、撮影方法、緊急区分、保険の種類、請求種別、各科医師などによるコメントなどの医療情報に関係するものを表示するものとに分けられる。
患者の詳細情報表示部１７は、検査部位、診断方法、撮影室、撮影装置、状況、撮影方法、フィルム、分割、枚数、回数、写損などの項目が表示され、それぞれの項目に対応した患者の個人情報が表示されている。具体的に、検査部位とは検査対象となる部位のことで、ここでは、検査部位に対応した頭部（血管）の情報が表示される。また、診断方法とは診断の方法のことであり、撮影室とは撮影する部屋のことで、撮影装置とは撮影に使用する装置のことである。ここでは、ＣＴを使用して撮影がされるためにＣＴの表示がされる。更に状況として受付がされているのかされていないのかの表示がされる。また、フィルムとは、フィルムのサイズのことで大角、大四、半切等のサイズがあるがここでは、半切が表示される。同様に、フィルム分割数、必要な枚数、撮影回数などが表示される。
【００１１】
患者測定器具１８は、造影剤、特殊器具、手技・加算などの項目が表示され、それぞれの項目に対応して患者に使用されたものが表示される。ここでは、造影剤としてイオバミロン、オムニパークが使用されているためにそれぞれの造影剤の名称と投与された数量が表示される。
図４は、本発明の実施の形態による予約情報管理システムに格納されている医療情報の払出し一覧の表示構成を説明した構成図である。
払出一覧表示画像１９は、図１の予約情報管理システム１の会計情報送信部８の処理に対応するもので、検索命令入力欄２０と、払出状況リスト２１とから構成されている。
検索命令入力欄２０は、払出状況を決定する払出欄、検査日、日付モード、払出先、受領者などの項目が表示され、それぞれの項目に対応する情報を入力し、検索することにより検索が行われる。具体的には、検索に該当する払出し一覧の表示を行うために払出欄に払出しが済んでいるのか否かの入力を行い、検査日の表示欄に日付モードから検査日を選択して入力し、払出先、受領者の欄にそれぞれの項目に該当する情報を入力する。
払出状況リスト２１は、検査日、患者ＩＤ、氏名、払出日時、区分、払出先、受領者などの項目が表示され、それぞれの項目に対応した患者の情報が表示される。具体的には、検査日としては２００１／５／１０が表示され、患者ＩＤとして００−０１００ー２が表示される。同様に氏名、払出日時、区分、払出先、受領者なども表示される。
【００１２】
図５は、本発明の実施の形態による予約情報管理システムに格納されている医療情報の払出し登録の表示構成を説明した構成図である。
払出一覧表示画像２２は、図１の予約情報管理システム１の払出参照／登録部９の処理に対応するもので、払出情報表示欄２３と、患者情報表示欄２４と、払出対象リスト２５とから構成される。
払出情報表示欄２３は、払出日、払出時刻、払出先、医師名、受領者、コメントなどの項目が表示され、それぞれの項目に対応する情報が表示されている。具体的には、払出日とは払い出しが行われた日のことであり、ここでは、払出日の項目に対応した２００１／５／１０の表示がされている。また、払出時刻とは払い出しが行われた時刻のことであり、ここでは、払出時刻の項目に対応した９：１５の表示がされている。また、払出先とは払い出しを受け取る受け取り先のことであり、ここでは、１０北病棟の表示がされている。また、医師名とは診断を行った医師のことであり、受領者とは受け取り先の受取人のことである。また、コメントとは払い出しに関するコメントが生じた場合に記載する欄のことである。
患者情報表示欄２４は、患者ＩＤ、氏名などの項目が表示され、それぞれの項目に対応する情報が表示されている。具体的には、患者ＩＤとは患者個人を識別するＩＤのことであり、ここでは、患者ＩＤの項目に対応した０００１００２の表示がされている。
【００１３】
払出対象リスト２５は、検査日、患者ＩＤ、氏名などの項目が表示され、それぞれの項目に対応する情報が表示されている。
図６は、本発明の実施の形態による予約情報管理システムに格納されている医療情報の過去の履歴について説明した構成図である。
ここでいう、オーダ表示画像２６は、図１の予約情報管理システム１の検査履歴の参照部１０の処理に対応するもので、過去に行った検査情報を実施情報記憶領域３から検索するための履歴表示欄２７を備えている。
履歴表示欄２７は、検査実施の有無、部位名称、撮影名称、依頼科名称などの表示項目からなり、検査項目の有無は、検査の実施がされているか否かを表示し、部位名称は、診断の際に対象とされた部位の名称を表示し、撮影名称は、撮影の際に利用された撮影方法の名称を表示し、依頼科名称は、診察をした医師が所属する科の名称を表示する。
以上説明した本発明の実施の形態によれば、格納領域を診療前の予約情報を格納する格納領域と診療後の予約情報を格納する格納領域とに分割して管理することにより予約情報に関連する医療画像を高速に検索可能とする予約情報管理システム及び方法を提供することができる。
【００１４】
なお、以上説明した実施の形態は、本発明の理解を容易にするために記載されたものであって、本発明を限定するために記載されたものではない。したがって、上記の実施の形態に開示された各要素は、本発明の技術的範囲に属する全ての設計変更や均等物をも含む趣旨である。
【００１５】
【発明の効果】
本発明によれば、格納領域を診療前の予約情報を格納する格納領域と診療後の予約情報を格納する格納領域とに分割して管理することにより予約情報に関連する医療画像を高速に検索可能とする予約情報管理システム及び方法を提供することができる。
【図面の簡単な説明】
【図１】本発明の実施の形態による予約情報管理システムの構成を説明した概略図である。
【図２】本発明の実施の形態による予約情報管理システムに格納されている医療情報の検索表示構成を説明した構成図である。
【図３】本発明の実施の形態による予約情報管理システムに格納されている医療情報の詳細な検索表示構成を説明した構成図である。
【図４】本発明の実施の形態による予約情報管理システムに格納されている医療情報の払出し一覧の表示構成を説明した構成図である。
【図５】本発明の実施の形態による予約情報管理システムに格納されている医療情報の払出し登録の表示構成を説明した構成図である。
【図６】本発明の実施の形態による予約情報管理システムに格納されている医療情報の過去の履歴について説明した構成図である。
【符号の説明】
１    予約情報管理システム
２    予約情報領域
３    実施情報領域
４    オーダ情報書込み部
５    当日検査予約一覧
６    検査オーダの参照部
７    実施結果登録部
８    会計情報の送信部
９    払出参照／登録部
１０    検査履歴の参照部
１１    オーダ表示画像
１２    検索ボタン表示部
１３    患者情報表示部
１４    コメント表示部
１５    オーダ表示画像
１６    状態情報表示部
１７    詳細情報表示部
１８    患者計測器
１９    オーダ表示画像
２０    検索命令入力欄
２１    払出状況リスト
２２    オーダ表示画像
２３    払出情報
２４    患者情報
２５    払出対象リスト
２６    オーダ表示画像
２７    履歴表示欄
【図１】
2004355096.tif 000003
【図２】
2004355096.tif 000004
【図３】
2004355096.tif 000005
【図４】
2004355096.tif 000006
【図５】
2004355096.tif 000007
【図６】
2004355096.tif 000008